(57)【要約】【課題】浴槽形状へ影響を及ぼすことなく、収納棚と一体化させて、見栄え良く浴室内に設置できる即湯システムを提供する。【解決手段】湯を溜め保温することのできる貯湯タンク７を平面状に形成して、収納棚１の内部に配設し、浴室の壁面５に取り付けて構成する。【選択図】                図２
2004332987.tif 000002
【特許請求の範囲】
【請求項１】
湯を溜め保温することのできる貯湯タンクを平面状に形成して収納棚の内部に配置し、浴室に取り付けたことを特徴とする即湯システム。
【請求項２】
前記収納棚が、前記貯湯タンクを覆う外郭の一部を兼用していることを特徴とする請求項１に記載の即湯システム。
【請求項３】
前記貯湯タンクとともに収納棚内にシャワー用配管を配設したことを特徴とする請求項１または請求項２に記載の即湯システム。
【請求項４】
既存の水栓金具の湯側に分岐部材を取り付け、該分岐部材を介し、給湯が前記貯湯タンクを経由して水栓金具に戻されるように構成したことを特徴とする請求項１に記載の即湯システム。
【発明の詳細な説明】
【０００１】
【発明の属する技術分野】
この発明は、即湯システムに関するものである。
【０００２】
【従来の技術】
従来、水栓金具から離れた場所に給湯器が設けられていると、水栓金具の蛇口をひねった時に配管内の冷水が出てしまうため、蛇口をひねった時に直ぐに湯が出るように、給湯器からの湯を貯湯タンクを介して水栓金具に供給するように構成した即湯システムが存在する。
【０００３】
【特許文献１】
特開２００１−２３５１６５号公報
【０００４】
【発明が解決しようとする課題】
従来の即湯システムにおける貯湯タンクは、図１３に示すように、円缶状の貯湯タンク５１となっており、この貯湯タンク５１をユニットバスの浴槽裏に取り付けており、従来では、このような貯湯タンク５１を設置するために、浴槽の形状を貯湯タンク５１分だけ小さくする等の必要があり、浴槽形状に影響が及んでしまうという問題点があった。
【０００５】
【課題を解決するための手段】
本発明は、上記従来の問題点に鑑み案出したものであって、浴槽形状に影響を及ぼすことなく、制約条件が少なく、浴室内に良好に設置できる即湯システムを提供せんことを目的とし、その第１の要旨は、湯を溜め保温することのできる貯湯タンクを平面状に形成して収納棚の内部に配置し、浴室に取り付けたことである。
また第２の要旨は、前記収納棚が、前記貯湯タンクを覆う外郭の一部を兼用していることである。
また第３の要旨は、前記貯湯タンクとともに収納棚内にシャワー用配管を配設したことである。
また第４の要旨は、既存の水栓金具の湯側に分岐部材を取り付け、該分岐部材を介し、給湯が前記貯湯タンクを経由して水栓金具に戻されるように構成したことである。
【０００６】
【発明の実施の形態】
以下、本発明の実施例を図面に基づいて説明する。
図１は、浴室内の壁面に設置される収納棚キャビネットの斜視構成図であり、図２は、その横断面構成図であり、更に図３は、要部を拡大して示す縦断面構成図である。
【０００７】
図において、収納棚キャビネット１には、前方側へ膨出された収納空間形成枠２が形成されており、この収納空間形成枠２の前面には鏡３が取り付けられている。また、収納空間形成枠２の側方には、上下方向に間隔をおいて複数の棚部４，４，４，４が設けられている。
【０００８】
図２及び図３に示すように、この収納棚キャビネット１の収納空間形成枠２内には、即湯システムを構成する、貯湯タンク７、ヒーター８ａ，８ｂ、配線等が、断熱性のある保温材９ａ，９ｂで覆った状態で、しかもその外周を外郭１０ａ，１０ｂで包んで収納されている。
【０００９】
貯湯タンク７は、図４に示すような形状に形成されており、下方へ突出された入管部７ａから、配管をつづら折り状に曲げて重ね合わせた曲がり配管部７ｂが連続状に形成されており、曲がり配管部７ｂの上端から側面を通って下方へ垂下管部７ｃが形成され、この垂下管部７ｃの下端は下方へ突出する出管部７ｄとなっており、この出管部７ｄと入管部７ａ間はバイパス管部７ｅで連通されたものとなっている。
【００１０】
このように貯湯タンク７は、配管を曲げて平面形状に形成されており、図示しない給湯器から供給される給湯が、入管部７ａから曲がり配管部７ｂ内に入り、この曲がり配管部７ｂ内で溜められて、ヒーター８ａ，８ｂにより７０℃〜８０℃程度の温度に保温されるものであり、曲がり配管部７ｂ内には約６リットル程度の湯を溜めることができるように構成されている。
なお、入管部７ａから入った湯の６０％が曲がり配管部７ｂ内に流れ、４０％がバイパス管部７ｅを通り、出管部７ｄから図示しない水栓金具へ流れるように構成されている。
【００１１】
平面状に形成された貯湯タンク７の、後面及び前面には、図５に示すように面状ヒーター８ａ，８ｂが当接状に取り付けられており、前記入管部７ａ及び出管部７ｄには、それぞれ継手１５，１５が接続され、継手１５，１５には、それぞれゴムパッキン１６が介在されてナット１７が締め付けられるものであり、このナット１７とゴムパッキン１６間に、保温材９ａ，９ｂ、及び外郭１０ａ，１０ｂが挟み込まれるものである。
【００１２】
例えば、発泡スチロールで形成された後保温材９ａと前保温材９ｂが、前記図５の前面及び後面のヒーター８ａ，８ｂ、及び貯湯タンク７の外周を包み込むように覆設されるものであり、図６は、後方の保温材９ａを図示しており、保温材９ａの背面９ｃの外周には、外周枠部９ｄが一体形成され、この外周枠部９ｄの底側には、貯湯タンク７の入管部７ａ、及び出管部７ｄを嵌め込む凹部９ｅ，９ｅが一体形成されている。
【００１３】
また、前後の保温材９ａ，９ｂの外周を包み込む外郭１０ａ，１０ｂも、前後に分割されて、それぞれ前後から被せられるものであり、図７には、後方側の後外郭１０ａの斜視図を示す。
後外郭１０ａは、背面１０ｃの外周に外周枠部１０ｄが一体形成され、外周枠部１０ｄの後部には外方向へ突出して固定フランジ１０ｅが一体形成されており、外周枠部１０ｄの前面は、パッキンを当接させて水密性を確保することのできるパッキン当接面１０ｇとなっており、このパッキン当接面１０ｇから外方向へ突出して、間隔をおいて複数の連結フランジ１０ｆ，１０ｆ，１０ｆが一体形成されており、この各連結フランジ１０ｆには、それぞれ連結ボルト２１を通すための連結ボルト孔１２が貫通形成されている。
【００１４】
また、前記固定フランジ１０ｅにも、間隔をおいて取付ボルト６を通すためのボルト孔１１，１１，１１が形成されている。
また、外周枠部１０ｄの底側には、貯湯タンク７の入管部７ａ及び出管部７ｄを嵌め込むための凹部１０ｈ，１０ｈが一体形成されている。
なお、電源ケーブル１４は、外郭１０ａの外周枠部１０ｄの上面側に孔を開けて、そこにゴムブッシング１３を嵌め込み、ゴムブッシング１３内を通して水密状に外側へ引き出すことができるものである。
【００１５】
貯湯タンク７の前後面に面状ヒーター８ａ，８ｂを取り付け、後保温材９ａと前保温材９ｂで、前後から貯湯タンク７及び面状ヒーター８ａ，８ｂを包み込み、更に、前後から後外郭１０ａと前外郭１０ｂを重ね合わせて、外郭１０ａ，１０ｂで全体を包み込み、連結ボルト孔１２内にそれぞれ連結ボルト２１を差し込んで、連結ボルト２１を締め付けて後外郭１０ａと前外郭１０ｂを固定し、この状態で、図３に示すように、後外郭１０ａのボルト孔１１内に、それぞれ取付ボルト６を入れて、この取付ボルト６を浴室の壁５に締め付け、浴室の壁５に固定することができ、この状態で、収納棚キャビネット１を浴室の壁５に固定して、収納空間形成枠２内に全体を収納させることができるものである。
【００１６】
なお、図３のように、継手１５，１５のそれぞれの下方には、エルボ１８，１９が接続され、エルボ１９には、壁５の裏側に配管された、給湯器からの給湯が流れる給湯配管２０が接続されるものである。
このように、平面形状の貯湯タンク７を、保温材９ａ，９ｂと、外郭１０ａ，１０ｂで覆蓋した状態で、収納棚キャビネット１の収納空間形成枠２内に隠蔽状に収納させて、スッキリとした状態で浴室に取り付けることができ、即湯システムは完全に収納棚キャビネット１内に隠蔽されるため、設置状態の見栄えが良く、従来の貯湯タンク５１のように浴槽の裏に設置するものではないため、浴槽形状に影響を及ぼすことがなく、浴槽を自由な大形状に設計することができるものとなる。
【００１７】
また、工場の出荷段階から、収納棚キャビネット１内に貯湯タンク７で構成される即湯システムを組み込んで、一体として出荷することができ、現場では、収納棚キャビネット１を浴室の壁面に設置することで、即湯システムも楽に施工できるものとなる。
このような構成では、浴槽と防水パンが一体型のユニットバス内にも、スッキリとした状態で即湯システムを設置することができるものとなり、即湯システムの後付けも容易なものとなる。
また、収納棚キャビネット１に設けられている鏡３は、その裏側に収納されている貯湯タンク７の熱、及び、水栓金具の使用時に湯が貯湯タンク７内を通過する際の熱等で、良好に防曇することができ、鏡が曇りにくいものとなる派生的な効果もある。
【００１８】
次に、図８は、収納棚を構成する収納空間形成枠２に一体状に前外郭１０ｂを形成させたものであり、このように収納空間形成枠２に一体状に前外郭１０ｂを形成させておけば、部品点数が減少し、樹脂の使用量が減少して、コストダウン化を図ることができるものとなる。
この図８の前外郭１０ｂ内に、図４及び図５で示したような平面状の貯湯タンク７の前半分、及び前面状ヒーター８ｂ、及び前保温材９ｂを収めることができ、裏側から、後外郭１０ａを、この前外郭１０ｂに連結して、即湯システム全体を良好に覆蓋することができるものとなる。
【００１９】
次に、図９の正面図で、また図１０の側面図で示す収納棚キャビネット１は、鏡３の側方上部にエルボ２２を設けて、ここからシャワーホース２３を引き出し、先端にシャワーヘッド２４を取り付けたものであり、このようなシャワー付きの収納棚キャビネット１においては、収納空間形成枠２内には、シャワーホース２３に連通するシャワー配管２５が設けられ、このシャワー配管２５は、図１１に示すように、貯湯タンク７と共に配置され、面状ヒーター８ａ，８ｂで良好に保温され、更に保温材９ａ，９ｂで保温されるものである。
【００２０】
例えば、貯湯タンク７から少し離してシャワー配管２５を図１１のように配置させておくと、貯湯タンク７内では７０℃〜８０℃の湯温となるため、このシャワー配管２５は４０℃程度に保温することができ、シャワーヘッド２４から湯を噴出させてシャワーを使用する時に、使用初期からシャワー配管２５内で保温された温水が噴出され、従来のように冷水が噴出されることなく、使用勝手が向上するものとなる。
なお、図１０のように、浴室内に設置されている水栓金具２６から、壁５の裏側を通して壁裏配管２７を設け、この壁裏配管２７をシャワー配管２５に接続して構成することができる。
【００２１】
なお、図１２では、壁面５に設置された収納棚キャビネット１内の貯湯タンクと、浴室内に設置されている既存の水栓金具２６との接続構造を示す。
図１２では、既存の水栓金具２６の、水が供給される水側クランク２９は、取り付け位置調整用のダミー部材を取り付けてそのまま使用するが、湯側には分岐部材３０を取り付ける。
この分岐部材３０は、水栓金具２６に接続される接続部３０ａを有し、左端に入管接続部３０ｂと、右端に出管接続部３０ｃを有し、中央部が仕切壁３０ｄで仕切られた筒状に形成され、また、入管接続部３０ｂ側には給湯管接続部３０ｅが形成されており、この給湯管接続部３０ｅには、給湯器３１から湯が供給される給湯配管３２が接続されるものである。
【００２２】
また、この分岐部材３０の入管接続部３０ｂと、貯湯タンク７の入管部７ａは、接続管２８やフレキシブル管を介して連通接続されるものであり、貯湯タンク７の出管部７ｄと分岐部材３０の出管接続部３０ｃは、フレキシブル管等で連通接続されるものである。
このように、既存の水栓金具２６の湯側に分岐部材３０を取り付けて、良好に収納棚キャビネット１内の貯湯タンク７と配管接続することができ、給湯器３１からの湯は、給湯管接続部３０ｅから分岐部材３０内に入り、入管接続部３０ｂを通り、貯湯タンク７内に入って、貯湯タンク７内に溜められることとなり、更に、貯湯タンク７内の湯は、出管部７ｄから分岐部材３０の出管接続部３０ｃに入り、接続部３０ａから水栓金具２６内に入るものであり、水栓金具２６の蛇口が開けられた時には、貯湯タンク７内の湯が水栓金具２６から吐出され、蛇口をひねった初期から、良好に湯を吐出させることができるものとなる。
【００２３】
このように既存の水栓金具２６のクランク部分に分岐部材３０を取り付けて、給湯側のみ、即湯システムを経由し水栓金具２６に戻すように配管することができ、後付けが可能であり、在来の浴室にも使用可能なものとなる。
【００２４】
【発明の効果】
本発明の即湯システムは、湯を溜め保温することのできる貯湯タンクを平面状に形成して収納棚の内部に配置し、浴室に取り付けたことにより、即湯システムを収納棚の内部に収納させて一体化させ、見栄え良く浴室内に設置することができ、従来のように浴槽形状に影響を及ぼすことがないため、浴槽と防水パンが一体型のユニットバス内にも良好に即湯システムを後付けできるものとなる。
また、収納棚と即湯システムを一体として工場から出荷することで、現場での施工を楽に行うことができるものとなる。
【００２５】
また、収納棚が、貯湯タンクを覆う外郭の一部を兼用していることにより、収納棚内部に、平面状の貯湯タンクとヒーターと断熱材と配線等を良好に収めることができ、樹脂の使用量を低減してコストダウン化を図ることができるものとなる。
【００２６】
また、貯湯タンクとともに収納棚内にシャワー用配管を配設したことにより、シャワー配管を即湯システム内部を経由させ、即湯システムのヒーターでシャワー配管を保温することができ、シャワー初期の冷水が少なくなり、シャワーの使い勝手が向上するものとなる。
【００２７】
また、既存の水栓金具の湯側に分岐部材を取り付け、分岐部材を介し、給湯が貯湯タンクを経由して水栓金具に戻されるように構成したことにより、既存の水栓金具のクランク部分に分岐部材を取り付け、給湯側のみを即湯システムを経由して水栓金具に戻す配管とすることができ、後付けが可能となり、在来浴室にも使用できるものとなり、水栓金具の蛇口を開けた初期段階から貯湯タンク内の湯を吐出させることができるものとなる。
【図面の簡単な説明】
【図１】収納空間形成枠を備えた収納棚キャビネットの斜視構成図である。
【図２】図１の収納棚キャビネットの横断面構成図である。
【図３】収納棚キャビネットの要部の拡大縦断面構成図である。
【図４】貯湯タンクの正面構成図である。
【図５】貯湯タンクの前後に面状ヒーターを取り付けた状態の斜視構成図である。
【図６】後側の保温材の斜視構成図である。
【図７】後側の外郭の斜視構成図である。
【図８】収納キャビネットの収納空間形成枠に一体状に前外郭を形成した斜視構成図である。
【図９】シャワー装置を取り付けた収納棚キャビネットの正面構成図である。
【図１０】図９の側面構成図である。
【図１１】シャワー配管を貯湯タンクの側方に配管させた状態の正面構成図である。
【図１２】既存の水栓金具に分岐部材を取り付け、この分岐部材を介して収納棚キャビネット内の貯湯タンクに配管接続する配管状態図である。
【図１３】従来の貯湯タンクの斜視構成図である。
【符号の説明】
１    収納棚キャビネット
２    収納空間形成枠
３    鏡
４    棚部
５    壁
６    取付ボルト
７    貯湯タンク
７ａ    入管部
７ｂ    曲がり配管部
７ｃ    垂管部
７ｄ    出管部
７ｅ    バイパス管部
８ａ    後面状ヒーター
８ｂ    前面状ヒーター
９ａ    後保温材
９ｂ    前保温材
９ｃ    背面
９ｄ    外周枠部
９ｅ    凹部
１０ａ    後外郭
１０ｂ    前外郭
１０ｃ    背面
１０ｄ    外周枠部
１０ｅ    固定フランジ
１０ｆ    連結フランジ
１０ｇ    パッキン当接面
１１    ボルト孔
１２    連結ボルト孔
１５    継手
１６    ゴムパッキン
１７    ナット
２１    連結ボルト
２３    シャワーホース
２４    シャワーヘッド
２５    シャワー配管
２６    水栓金具
２７    壁裏配管
２９    水側クランク
３０    分岐部材
３０ａ    接続部
３０ｂ    入管接続部
３０ｃ    出管接続部
３０ｄ    仕切壁
３０ｅ    給湯管接続部
【図１】
2004332987.tif 000003
【図２】
2004332987.tif 000004
【図３】
2004332987.tif 000005
【図４】
2004332987.tif 000006
【図５】
2004332987.tif 000007
【図６】
2004332987.tif 000008
【図７】
2004332987.tif 000009
【図８】
2004332987.tif 000010
【図９】
2004332987.tif 000011
【図１０】
2004332987.tif 000012
【図１１】
2004332987.tif 000013
【図１２】
2004332987.tif 000014
【図１３】
2004332987.tif 000015